【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
生物における所望応答を誘発する方法であって、当該方法は、
・少なくとも２つの光子放出器を設けるステップと、
・前記少なくとも２つの光子放出器と通信する少なくとも１つの光子放出変調制御器を設けるステップと、
・前記少なくとも２つの光子放出変調制御器から前記少なくとも１つの光子放出器へコマンドを伝達するステップと、
・前記生物に光子信号を提供するステップであって、
前記光子信号が２つ以上の独立した要素を含み、
前記２つ以上の独立した要素は、繰り返しの第１の変調光子パルスの群のうちの第１の独立した要素を含み、前記第１の変調光子パルスの群は、１つ以上の第１の強度を有する１つ以上の第１の光子パルスオン期間を有するとともに、１つ以上の第１の光子パルスオフ期間と、第１の波長色とを有し、前記第１の光子パルスオンの前記１つ以上の期間は、０．０１マイクロ秒〜５０００ミリ秒であり、前記第１の光子パルスオフの前記１つ以上の期間は、０．１マイクロ秒〜２４時間であり、
前記２つ以上の独立した要素は、繰り返しの第２の変調光子パルスの群のうちの第２の独立した要素を含み、前記第２の変調光子パルスの群は、１つ以上の第２の強度を有する１つ以上の第２の光子パルスオン期間を有するとともに、１つ以上の第２の光子パルスオフ期間と、第２の波長色とを有し、前記第２の光子パルスオンの前記１つ以上の期間は、０．０１マイクロ秒〜５０００ミリ秒であり、前記第２の光子パルスオフの前記１つ以上の期間は、０．１マイクロ秒〜２４時間であり、
前記第１の独立した要素及び前記第２の独立した要素は前記信号内で同時に生成され、
前記第２の変調光子パルスの群は前記第１の変調光子パルスの群とは異なっている、ステップと、
・前記信号を前記生物に向けて放出するステップであって、前記信号における前記第１の変調光子パルスの群と前記第２の変調光子パルスの群との合成効果は前記生物からの所望応答を生成する、ステップと
を含む、方法。
【請求項２】
当該方法は、繰り返しの第３以上の変調光子パルスの群のうちの第３以上の独立した要素をさらに含み、
前記第３以上の変調光子パルスの群は、１つ以上の第３以上の強度を有する１つ以上の第３以上の光子パルスオン期間を有するとともに、１つ以上の第３以上の光子パルスオフ期間と、第３以上の波長色とを有し、
前記第３以上の光子パルスオンの前記１つ以上の期間は、０．０１マイクロ秒〜５０００ミリ秒であり、前記第３以上の光子パルスオフの前記１つ以上の期間は、０．１マイクロ秒〜２４時間であり、
前記第１の独立した要素、前記第２の独立した要素及び前記第３以上の独立した要素は前記信号内で同時に生成され、
前記第３以上の変調光子パルスの群は前記第２の変調光子パルスの群及び前記第１の変調光子パルスの群とは異なっており、
当該方法は、前記信号を前記生物に向けて放出するステップであって、前記信号における前記第３以上の変調光子パルスの群、前記第１の変調光子パルスの群及び前記第２の変調光子パルスの群の合成効果は前記生物からの所望応答を生成する、ステップを含む、
請求項１に記載の方法。
【請求項３】
前記第３以上の変調光子パルスの群のデューティサイクルは０％〜９３％の範囲に及ぶ、請求項２に記載の方法。
【請求項４】
前記第３以上の変調光子パルスの群における前記１つ以上のさらなる光子パルスオフ期間の各々は異なっている、請求項２に記載の方法。
【請求項５】
前記第３以上の変調光子パルスの群における前記１つ以上のさらなる光子パルスオン期間の各々は異なっている、請求項２に記載の方法。
【請求項６】
前記第３以上の変調光子パルスの群における前記要素は前記生物からの所望応答に合わせて詳しく調節される、請求項２に記載の方法。
【請求項７】
前記第３以上の変調光子パルスの群におけるさらなる各波長色は、近赤、遠赤、青、赤外、黄、橙、及び紫外からなるグループから選ばれる、請求項２に記載の方法。
【請求項８】
前記第３以上の変調光子パルスの群における前記さらなる各波長色は０．１ｎｍ〜１ｃｍの波長を有する、請求項２に記載の方法。
【請求項９】
前記第３以上の変調光子パルスの群は１つ以上のさらなる強度をさらに含む、請求項２に記載の方法。
【請求項１０】
前記第３以上の光子パルスオンの前記１つ以上の期間は、前記第３以上の光子パルスオフの前記１つ以上の期間と異なっている、請求項２に記載の方法。
【請求項１１】
当該方法は、前記少なくとも１つの光子放出変調制御器と通信するマスターロジック制御器を設けるステップをさらに含み、
前記マスターロジック制御器は、前記少なくとも２つの光子放出器からの、前記１つ以上の第１の光子パルスオン期間、前記１つ以上の第１の光子パルスオフ期間、前記第１の光子パルス強度、前記第１の光子パルス波長色、前記１つ以上の第２の光子パルスオン期間、前記１つ以上の第２の光子パルス遅延オフ期間、前記第２の光子パルス強度、及び前記第２の光子パルス波長色を制御する前記少なくとも１つの光子放出変調制御器にコマンドを送信する、請求項１に記載の方法。
【請求項１２】
当該方法は、前記少なくとも１つの光子放出変調制御器と通信するマスターロジック制御器を設けるステップをさらに含み、
前記マスターロジック制御器は、前記第３以上の変調光子パルスの群の前記要素を制御する前記少なくとも１つの光子放出変調制御器にコマンドを送信する、請求項１１に記載の方法。
【請求項１３】
前記少なくとも２つの光子放出器は、白熱（タングステンハロゲン及びキセノン）、蛍光（ＣＦＬ）、高輝度放電（メタルハライド、高圧ナトリウム、低圧ナトリウム、水銀蒸気）、太陽光、及び発光ダイオードからなるグループから選ばれる、請求項１に記載の方法。
【請求項１４】
前記マスターロジック制御器と通信する電力消費量センサーを設けるステップと、
前記少なくとも２つの光子放出器の電力使用量を監視するステップと、
前記電力消費量センサーから前記マスターロジック制御器の外部にあるホストへ前記電力消費量を伝達するステップと
をさらに含む、請求項１に記載の方法。
【請求項１５】
前記少なくとも２つの光子放出変調制御器は、ソリッドステートリレー、金属酸化膜半導体電界効果トランジスタ、電界効果トランジスタ、ツェナーダイオード、オプティカルチョッパー、及び前記第１の変調光子パルスの群と前記第２の変調光子パルスの群の変調を誘発する装置からなるグループから選ばれる、請求項１に記載の方法。
【請求項１６】
前記第１の変調光子パルスの群の前記第１の波長色は、近赤、遠赤、青、赤外、黄、橙、及び紫外からなるグループから選ばれる、請求項１に記載の方法。
【請求項１７】
前記第２の変調光子パルスの群の前記第２の波長色は、近赤、遠赤、青、赤外、黄、橙、及び紫外からなるグループから選ばれる、請求項１に記載の方法。
【請求項１８】
前記第１の変調光子パルスの群の前記第１の波長色は、０．１ｎｍ〜１ｃｍの波長を有する、請求項１に記載の方法。
【請求項１９】
前記第２の変調光子パルスの群の前記第２の波長色は、０．１ｎｍ〜１ｃｍの波長を有する、請求項１に記載の方法。
【請求項２０】
１つ以上の強度を有する前記第１のオン期間、第１のオフ期間、前記第１の変調光子パルスの群の第１の波長色は、１つ以上の第２の強度を有する前記第２のオン期間、第２のオフ期間、前記第２の変調光子パルスの群の第２の波長色と同じである、請求項１に記載の方法。
【請求項２１】
少なくとも１つのセンサーを設けるステップと、
前記生物に関わる少なくとも１つの条件を監視するステップであって、前記生物に関わる少なくとも１つの条件は、前記生物に関わる環境条件である、又は前記生物に関わる生理的条件である、ステップと、
前記少なくとも１つのセンサーから前記マスターロジック制御器へ前記条件に関するデータを伝達するステップと
をさらに含む、請求項１に記載の方法。
【請求項２２】
前記少なくとも１つの第１の光子パルスの前記期間、強度、波長帯域、及びデューティサイクルと、前記少なくとも１つの光子放出器からの前記少なくとも１つのさらなる光子パルスの前記期間、強度、波長帯域、及びデューティサイクルを、前記少なくとも１つのセンサーからの前記データに基づいて調整するステップをさらに含む、請求項２１に記載の方法。
【請求項２３】
前記マスターロジック制御器と通信する注水源を設けるステップをさらに含み、
前記注水源は前記生物に注水イベントを提供する、請求項２１に記載の方法。
【請求項２４】
前記少なくとも１つのセンサーからの前記データに基づいて前記注水源から前記生物に対し注水イベントを開始するステップを含む、請求項２３に記載の方法。
【請求項２５】
前記マスターロジック制御器は前記少なくとも１つのセンサーからの前記データに基づいて前記注水イベントのタイミングを判断する、請求項２４に記載の方法。
【請求項２６】
前記マスターロジック制御器は前記少なくとも１つのセンサーからの前記データに基づいて前記注水イベントの期間を判断する、請求項２４に記載の方法。
【請求項２７】
前記マスターロジック制御器と通信する栄養源を設けるステップをさらに含み、
前記栄養源は前記生物に栄養イベントを提供する、請求項２１に記載の方法。
【請求項２８】
前記少なくとも１つのセンサーからの前記データに基づいて前記栄養源から前記生物に対し栄養イベントを開始するステップをさらに含む、請求項２７に記載の方法。
【請求項２９】
前記マスターロジック制御器は前記少なくとも１つのセンサーからの前記データに基づいて前記栄養イベントのタイミングを判断する、請求項２８に記載の方法。
【請求項３０】
前記マスターロジック制御器は前記少なくとも１つのセンサーからの前記データに基づいて前記栄養イベント中に前記生物へ誘導される栄養の量を判断する、請求項２８に記載の方法。
【請求項３１】
前記少なくとも１つのセンサーは、茎直径センサー、果実直径センサー、温度センサー、樹液相対速度センサー、赤外線センサー、ガスセンサー、光呼吸センサー、呼吸センサー、近赤外線センサー、カメラ、ｐＨセンサー、及びこれらの組み合わせからなるグループから選ばれる、請求項２１に記載の方法。
【請求項３２】
前記生物は、バクテリア、シアノバクテリア、担子菌、子嚢菌、酵母菌、被子植物、シダ植物、裸子植物、シアノバクテリア、珪藻、光合成単細胞、真核緑藻類、動物界の生物、及びこれらの組織からなるグループから選ばれる、請求項１に記載の方法。
【請求項３３】
前記生物に対する全てのさらなる又は補助的な光が遮られる、請求項１に記載の方法。
【請求項３４】
前記信号の前記放出は補助的な光子源である、請求項１に記載の方法。
【請求項３５】
前記生物の前記所望応答は光合成応答である、請求項１に記載の方法。
【請求項３６】
前記生物の前記所望応答は光栄養応答である、請求項１に記載の方法。
【請求項３７】
前記生物の前記所望応答は光周応答である、請求項１に記載の方法。
【請求項３８】
前記第１の変調光子パルスの群は少なくとも５％の光量子変化を有する、請求項１に記載の方法。
【請求項３９】
前記第２の変調光子パルスの群は少なくとも５％の光量子変化を有する、請求項１に記載の方法。
【請求項４０】
前記第１の変調光子パルスの群及び前記第２の変調光子パルスの群のデューティサイクルは０.１％〜９３％の範囲に及ぶ、請求項１に記載の方法。
【請求項４１】
前記応答は、成長、修復及び破壊からなるグループから選ばれる非自然刺激応答である、請求項１に記載の方法。
【請求項４２】
前記第１の変調光子パルスの群における前記１つ以上の第１の強度を有する前記第１の光子パルスオン期間、前記第１の光子パルスオフ期間及び第１の波長帯域は、前記生物の所望応答に合わせて詳しく調節される、請求項１に記載の方法。
【請求項４３】
前記第１の変調光子パルスの群における前記１つ以上の第２の強度を有する前記第２の光子パルスオン期間、前記第２の光子パルスオフ期間、第２の波長帯域、デューティサイクルは、前記生物の所望応答に合わせて詳しく調節される、請求項１に記載の方法。
【請求項４４】
当該方法は、従来の成長システムと比較した場合、生物の所望応答を誘発するのに用いられる電力を少なくとも５０％減じる、請求項１に記載の方法。
【請求項４５】
前記第１の変調光子パルスの群の前記１つ以上の第１の光子パルスオフ期間の各々は異なる期間である、請求項１に記載の方法。
【請求項４６】
前記第２の変調光子パルスの群の前記１つ以上の第２の光子パルスオフ期間の各々は異なる期間である、請求項１に記載の方法。
【請求項４７】
前記第１の変調光子パルスの群の前記１つ以上の第１の光子パルスオン期間の各々は異なる期間である、請求項１に記載の方法。
【請求項４８】
前記第２の変調光子パルスの群の前記１つ以上の第２の光子パルスオン期間の各々は異なる期間である、請求項１に記載の方法。
【請求項４９】
前記１つ以上の第１の光子パルスオン期間は前記１つ以上の第１の光子パルスオフ期間と異なる、請求項１に記載の方法。
【請求項５０】
前記１つ以上の第２の光子パルスオン期間は前記１つ以上の第２の光子パルスオフ期間と異なる、請求項１に記載の方法。